【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
プロジェクタ（１）であって、
発光装置と除熱装置とを収容する主ボディ（２）と、
前記主ボディ（２）に着脱可能に組付け可能で、フィルム（Ｆ）保持兼滑動装置（４０）と光学映写群（４）とを収容する副ボディ（３）とを含む形式のものにおいて、
前記副ボディが、前記フィルム（Ｆ）を冷却するための、ファン（１２）を有する装置（３０）を収容しており、該ファン（１２）を有する装置が、前記フィルム（Ｆ）の両面に対し接線方向に冷却流を発生させるようにフィルム（Ｆ）の下縁のところに配置されていることを特徴とする、プロジェクタ（１）。
【請求項２】
前記フィルム（Ｆ）保持兼滑動装置（４０）が、当初フィルム（Ｆ）の巻付けられている繰出しリール（７ａ）を装着されるフィルム繰出し軸（４１）と、映写が進行中に徐々にフィルムを巻上げる巻取りリール（７ｂ）が装着されるフィルム巻取り軸（４２）とを含み、該各軸（４１，４２）が、種々の寸法のフィルムを受容可能な長さを有している、請求項１に記載されたプロジェクタ（１）。
【請求項３】
前記軸（４１，４２）が、各端部に押圧部材４３を含み、該各押圧部材が、各ばね（４４）によってフィルム（Ｆ）の上縁を押さえ付け、フィルム（Ｆ）を映写位置に保持する、請求項１に記載されたプロジェクタ（１）。
【請求項４】
前記フィルム（Ｆ）保持兼滑動装置（４０）が、フィルムの繰出し及び巻取りリール（７ａ，７ｂ）に接続された補助モータ駆動装置（８）を含む、請求項２に記載されたプロジェクタ（１）。
【請求項５】
前記フィルム（Ｆ）保持兼滑動装置（４０）が、アイドルローラ（１７）と協働する駆動ローラ（１０）に接続されたステップバイステップモータ駆動装置（９）を含み、該双方のローラがフィルム（Ｆ）を掴んで滑動させ、前記モータ駆動装置（９）が、フィルム（Ｆ）の移動速度と精度とを決定するのに役立つ、請求項２に記載されたプロジェクタ（１）。
【請求項６】
映写区域（６）にフィルム区画と平行かつ投影軸線Ａ−Ａと直角に配置される副ボディ（３）に取付け可能な第１プレート（１３）を含み、これにより、該第１プレート（１３）が前記副ボディ（３）に取付けられた場合には、光学映写群（４）に対向する副ボディ壁部を形成し、かつ前記副ボディ（３）が前記主ボディ（２）に取付けられた場合には、前記第１プレート（１３）が、主ボディ（２）内に挿入された映写ランプに対向し、また前記第１プレートが、副ボディ（３）に取付けられた場合には、２個のアイドルローラ（１５）と、副ボディ（３）の対応ローラ（１０）及び（１７）との間にフィルム（Ｆ）を押圧保持するのに役立ち、かつまた前記第１プレート（１３）が、前記副ボディから取外された場合には、映写軸線Ａ−Ａに事実上相応する方向での副ボディに対するフィルム（Ｆ）の装填及び取外しを容易にするのに役立つ、請求項１に記載されたプロジェクタ（１）。
【請求項７】
前記副ボディ（３）に、マーク（３３）付け装置（２１）を備えた第２プレート（２０）と相互交換可能な第１プレート（１３）を取付け可能である、請求項１に記載されたプロジェクタ（１）。
【請求項８】
前記第１プレート（１３）が開口（１４）を有し、第１プレート（１３）が副ボディ（３）に取付けられた場合、前記開口が、映写軸線Ａ−Ａを中心として位置し、フィルム（Ｆ）に当付けられるフレームの開口より小さくない寸法を有しており、前記第１プレート（１３）の、前記副ボディ（３）の内側へ向いた面には、少なくとも２個のアイドルローラ（１５）とフィルム押圧フレーム（１８）とが取付けられている、請求項６に記載されたプロジェクタ（１）。
【請求項９】
前記アイドルローラ（１５）が、互いに平行かつフィルム（Ｆ）の移動方向に対し直角に配置された各回転軸を有しており、前記第１プレート（１３）が副ボディ（３）に取付けられた場合に、前記アイドルローラ（１５）が、第１プレート（１３）の、対応ローラ（１０，１７）と協働できる位置に取付けられており、更に前記アイドルローラ（１５）が、弾性的に融通性を有するように第１プレート（１３）に取付けられた支持部材（１６）を有し、前記弾性的な融通性が、前記アイドルローラ（１５）とローラ（１０，１７）との間に定常的な加圧力を保証するのに役立ち、該加圧力が、アイドルローラ（１５）とローラ（１０，１７）との間でのフィルム（６）の正常な繰出しを保証するのに役立っており、すべてのローラ（１５，１０，１７）が摩擦材料、例えばゴム材料によって被覆されている、請求項８に記載されたプロジェクタ（１）。
【請求項１０】
前記フィルム押圧フレーム（１８）は、事実上開口（１９）を取囲むフレームで形成され、該開口が、映写軸線Ａ−Ａを中心として位置し、フィルム（Ｆ）の当付けられるフレームの寸法より小さくない寸法を有し、前記フレーム（１８）が、該フレームに、これもまた弾性的種類の第２の融通性を与えるのに役立つ弾性的な支持部材によって第１プレート（１３）に取付けられている、請求項９に記載されたプロジェクタ（１）。
【請求項１１】
前記フィルム押圧フレーム（１８）を形成するフレーム縁部が、非粘着材料製、例えばＰＴＦＥ製の複数インサート（３５）を備えた、副ボディ（３）内側へ向いた面を有している、請求項１０に記載されたプロジェクタ（１）。
【請求項１２】
前記フィルム押圧フレーム（１８）の下縁が、アイドルローラ（１５）の回転軸と等しい配向の複数切れ目（３１）を備え、該切れ目が、フィルム押圧フレーム（１８）の僅かな厚さと協働して、ファン（１２）から出るフィルム（６）冷却用空気の流れを容易にするのに役立ち、前記フィルム押圧フレーム（１８）の僅かな厚さが、また前記ファンからの冷却空気流に対する妨害を最小にするのに役立つ、請求項１１に記載されたプロジェクタ（１）。
【請求項１３】
前記第１プレート（１３）が、フィルム（Ｆ）の滑動平面に対し上方への旋回のみを可能にし、かつ副ボディ（３）から前記第１プレートを完全に外すことを可能にする連結部材（２８）を備えている、請求項６に記載されたプロジェクタ（１）。
【請求項１４】
前記第２プレート（２０）が、第１プレート（１３）の形状及び寸法と等しい形状及び寸法を有し、かつ等しいアイドルローラ（１５）及び等しい固定部材（２８）を備えており、前記マーク（３３）付け装置（２１）が、フィルム（６）に複数の前記マークを付加するのに役立ち、該マークの付加が、第１プレート（１３）に代えて第２プレート（２０）を副ボディ（３）に取付けた場合にのみ、実施可能であり、補助駆動モータ及び／又はモータ駆動装置（９）及び／又はローラ（１５，１７，１０）がフィルム（Ｆ）の滑動偏差を生じさせる場合に、前記マークが、複数フレームの同期を回復させる目的の検出部材を形成するのに役立つ、請求項７に記載されたプロジェクタ（１）。
【請求項１５】
前記マーク付け装置（２１）が棚部材（２９）を含み、該棚部材が、複数マーク（３３）を支持するストリップ（２３）を受容した１個のアイドルリール（２２）と、該ストリップを掴みかつ移動させるのに役立つ複数掴み部材（２５）と、該掴み部材を移動させるのに役立つ移動部材（２６）とを含み、該移動部材が、アイドルローラ（１５）の少なくとも１個と接続されており、前記第２プレート（２０）が副ボディ（３）に取付けられた場合に、該接続が、モータローラ（１０）の運動によりストリップ（２３）を駆動するのに役立ち、専用モータ駆動装置が不要にされる、請求項１４に記載されたプロジェクタ（１）。
【請求項１６】
前記第２プレート（２０）に、フィルム押圧フレーム（１８）に代わって、開口のないフィルム（Ｆ）押圧プレート（２７）が取付けられ、該押圧プレートが第２プレート（２０）に弾性的に融通性を有するように取付けられ、更に該押圧プレートが、非粘着材料層、例えばＰＴＦＥ層で被覆された、前記フィルムに接触するための面を有している、請求項１４に記載されたプロジェクタ（１）。